(57)【要約】【課題】  作業効率を低下させることなく、使用者の必要な画像のみを容易に入手可能な画像処理システムを得ること。【解決手段】  原稿読み取り装置と、記憶装置と、サーバと、を有し、記憶装置に記憶した画像データをネットワークを介して接続された端末機器に送信する画像処理システムで、端末機器から送信を要請された画像が、複数頁の画像データを含む画像ファイルのうちの一部の頁であるとき、要請された頁の画像データのみを選択し、送信する画像処理システムとする。【選択図】        図１
2005223391.tif 000002
【特許請求の範囲】
【請求項１】
原稿を読み取る原稿読み取り装置と、該原稿読み取り装置で読み取った画像データを画像ファイルとして記憶する記憶装置と、該記憶装置に接続されたサーバと、を有し、前記記憶装置に記憶した前記画像データをネットワークを介して接続された端末機器に送信する画像処理システムであって、
前記端末機器から送信を要請された画像が、複数頁の画像データを含む画像ファイルのうちの一部の頁であるとき、
前記サーバは、前記複数頁の画像データを含む画像ファイルより、前記端末機器から要請された頁の画像データを選択し、送信することを特徴とする画像処理システム。
【請求項２】
前記端末機器から送信を要請された画像が複数のとき、前記サーバは前記端末機器から要請された複数の画像データを結合して一つの画像ファイルとした後、送信することを特徴とする請求項１に記載の画像処理システム。
【請求項３】
画像データを記憶する記憶装置と、該記憶装置とネットワークを介して接続された端末機器と、を有し、前記記憶装置に記憶した前記画像データを前記端末機器に送信する画像処理方法であって、
画像を指定して送信を要請するステップと、
送信を要請された画像が、複数頁の画像データを含む画像ファイルのうちの一部の頁であるとき、前記画像ファイル内から、送信を要請された頁の画像データを選択し、該選択された頁の画像データを送信するステップと、を有することを特徴とする画像処理方法。
【請求項４】
指定された画像が複数のとき、選択した画像データを結合するステップを含むことを特徴とする請求項３に記載の画像処理方法。
【発明の詳細な説明】
【技術分野】
【０００１】
本発明は、画像を読み取った後、記憶した記憶装置と端末機器をネットワークを介して接続し、記憶装置からの画像データを端末機器に送信する画像処理システム及び画像処理方法に関するものである。
【背景技術】
【０００２】
従来、原稿読み取り装置で原稿を読み取り、得られた画像データを記憶装置に記憶させ、ネットワークを介して接続されたパーソナルコンピュータ（以下、ＰＣもしくはクライアントＰＣと称す）へ送信することができるようになっている。
【０００３】
このような、画像処理システムとして、記憶されている画像データを選択し、送信宛先の端末機器の所属部署を選択し、この選択された所属部署の端末機器へ画像データを送信し、端末機器は受信した画像データを結合して１つの画像ファイルとするものが開示されている（例えば、特許文献１参照）。
【０００４】
また、複数の宛先を設定し、宛先毎に異なる原稿を、電子メールに添付して送信するネットワークスキャナが開示されている（例えば、特許文献２参照）
【特許文献１】特開２００２−２７１８９号公報
【特許文献２】特開２００３−１８９０４３号公報
【発明の開示】
【発明が解決しようとする課題】
【０００５】
上記の特許文献１及び２に記載された画像処理システム及びネットワークスキャナは、記憶装置に記憶された種々の画像から所望の画像を選択し送信先を指定する作業を、画像処理装置やスキャナの操作部を使用して行うため、この操作中は画像処理装置やスキャナの機能が使えなくなり、利用効率が低下する問題がある。更に、使用者は、この画像処理装置やスキャナの設置されている場所まで移動して作業を行う必要があり、利便性に欠け、作業効率を低下させる問題がある。
【０００６】
一方、原稿読み取り装置で読み取って得られた画像を、ネットワークを介して接続されたクライアントＰＣでＴＷＡＩＮ（Ｔｏｏｌ  Ｗｉｔｈｏｕｔ  Ａｎ  Ｉｎｔｅｒｅｓｔｉｎｇ  Ｎａｍｅ）ドライバにより、このＰＣへダウンロードする方法は周知であり、この方法によれば、ＰＣの操作入力部で作業を行うことが可能であるが、以下の問題がある。
【０００７】
近年、クライアントＰＣには多数のドライバや監視ソフトウェアが組み込まれるようになり、ＴＷＡＩＮドライバを動作させることにより、これらソフトウェアの機能衝突（コンフリクト）や、メモリ、ＣＰＵ等の資源の取り合いが発生し、動作不良が発生する可能性が高まっている。
【０００８】
また、原稿読み取り装置で読み取った後、ファイルフォーマット変換された画像ファイルの一形態として、マルチページＴＩＦＦ（Ｔａｇｇｅｄ  Ｉｍａｇｅ  Ｆｉｌｅ  Ｆｏｒｍａｔ）やＰＤＦ（Ｐｏｒｔａｂｌｅ  Ｄｏｃｕｍｅｎｔ  Ｆｏｒｍａｔ）等の、一つの画像ファイルに複数頁の画像が格納されたファイル形式があるが、このファイル形式では、使用者が必要とする画像がたとえ１頁であっても、複数頁の画像が格納された画像ファイルを、ネットワークを介してＰＣへダウンロードする必要があり、ダウンロードそのものに要する時間、ダウンロード後の必要とする画像の切り出しに工数を要し、作業効率を低下させていた。加えて、ネットワーク上を、必要としない多数の画像が含まれた画像ファイルが往来、即ち、送受信されることも好ましいものではない。
【０００９】
本発明は上記問題に鑑み、作業効率を低下させることなく、使用者の必要な画像のみを容易に入手可能な画像処理システム及び画像処理方法を得ることを目的とするものである。
【課題を解決するための手段】
【００１０】
請求項１に係わる発明は、原稿を読み取る原稿読み取り装置と、該原稿読み取り装置で読み取った画像データを画像ファイルとして記憶する記憶装置と、該記憶装置に接続されたサーバと、を有し、前記記憶装置に記憶した前記画像データをネットワークを介して接続された端末機器に送信する画像処理システムであって、前記端末機器から送信を要請された画像が、複数頁の画像データを含む画像ファイルのうちの一部の頁であるとき、前記サーバは、前記複数頁の画像データを含む画像ファイルより、前記端末機器から要請された頁の画像データを選択し、送信することを特徴とする画像処理システムである。
【００１１】
請求項２に係わる発明は、前記端末機器から送信を要請された画像が複数のとき、前記サーバは前記端末機器から要請された複数の画像データを結合して一つの画像ファイルとした後、送信することを特徴とする請求項１に記載の画像処理システムである。
【００１２】
請求項３に係わる発明は、画像データを記憶する記憶装置と、該記憶装置とネットワークを介して接続された端末機器と、を有し、前記記憶装置に記憶した前記画像データを前記端末機器に送信する画像処理方法であって、画像を指定して送信を要請するステップと、送信を要請された画像が、複数頁の画像データを含む画像ファイルのうちの一部の頁であるとき、前記画像ファイル内から、送信を要請された頁の画像データを選択し、該選択された頁の画像データを送信するステップと、を有することを特徴とする画像処理方法である。
【００１３】
請求項４に係わる発明は、指定された画像が複数のとき、選択した画像データを結合するステップを含むことを特徴とする請求項３に記載の画像処理方法である。
【発明の効果】
【００１４】
請求項１に記載の発明によれば、使用者は画像処理装置の設置されている場所まで移動して作業を行う必要がなく、更に端末機器側で指定し送信を要請した画像データが、記憶装置に格納された複数頁の画像データを含む画像ファイルの一部の頁であっても、指定された画像データのみが、端末機器へダウンロードされ、端末機器側で必要な画像のみを容易に入手できることとなり、作業効率を大幅に向上させた画像処理システムを得ることが可能になる。更に、ネットワーク内では必要最小限のデータの送受信が行われることとなり、ネットワーク容量負荷の軽減もできるようになる。
【００１５】
請求項２に記載の発明によれば、この画像処理システムは、端末機器から送信を要請された画像が複数のとき、サーバは端末機器から要請された複数の画像データを結合した後、送信するよう構成することが好ましく、これにより、端末機器側で指定し送信を要請した画像データが多数枚でのとき、結合して１つの画像ファイルとして端末機器へダウンロードされ、端末機器側での画像ファイルの再構成を不要とでき、作業効率を大幅に向上させることができる。
【００１６】
請求項３に記載の発明によれば、使用者は画像処理装置の設置されている場所まで移動して作業を行う必要がなく、端末機器側で指定し送信を要請した画像データが、記憶装置に格納された複数頁の画像データを含む画像ファイルの一部の頁であっても、指定された画像データのみが、端末機器へダウンロードされ、端末機器側で必要な画像のみを容易に入手できることとなり、作業効率を大幅に向上させた画像処理方法を得ることが可能になる。更に、ネットワーク内では必要最小限のデータの送受信が行われることとなり、ネットワーク容量負荷の軽減もできるようになる。
【００１７】
請求項４に記載の発明によれば、画像処理方法は、指定された画像が複数のとき、選択した画像データを結合するステップを含むようにすることが好ましく、これにより、端末機器側で指定し送信を要請した画像データが多数枚でのとき、結合して１つの画像ファイルとして端末機器へダウンロードされ、端末機器側での画像ファイルの再構成を不要とでき、作業効率を大幅に向上させることができる。
【発明を実施するための最良の形態】
【００１８】
以下、実施の形態により本発明を詳しく説明するが、本発明はこれに限定されるものではない。
【００１９】
図１は、本発明の画像処理システムの概略構成例を示す図である。
【００２０】
同図において、１はＬＡＮ（Ｌｏｃａｌ  Ａｒｅａ  Ｎｅｔｗｏｒｋ）等のネットワークである。このネットワーク１に、記憶装置２０を介して原稿読み取り装置１０が接続され、ネットワーク１と記憶装置２０の間にはサーバ３０が接続される。更に端末機器である複数台のクライアントＰＣ４０がネットワーク１に接続される。これにより、クライアントＰＣ４０相互、或いは、クライアントＰＣ４０とサーバ３０、記憶装置２０、原稿読み取り装置１０との相互の通信が可能となされている。
【００２１】
図２は、図１に示した原稿読み取り装置１０、記憶装置２０、サーバ３０、クライアントＰＣ４０それぞれの機能を示すブロック図である。
【００２２】
同図において、記憶装置２０の制御部２１、サーバ３０の制御部３１、クライアントＰＣ４０の制御・演算部４１は、インタフェースを含み、各装置内部の連携動作を制御する制御部であり、ネットワーク１とインタフェースを介して接続されている。また、原稿読み取り装置１０の制御部１１は、記憶装置１０の制御部１１とインタフェースを介して接続されている。
【００２３】
原稿読み取り装置１０は、装置内部の各部の動作制御を行う制御部１１の他、原稿読み取り部１２、画像処理部１３、一時記憶部１４、操作部１５、表示部１６を有している。
【００２４】
原稿読み取り部１２は、従来の複写機等で採用されている原稿読み取り部と同様の構成であり、ＣＣＤ等で構成されたラインセンサを用いて、自動で搬送される原稿に近接して、結像光学系を介さずに画像読み取りを行う原稿移動読取機能と、原稿台ガラス（プラテンガラス）上に載置した原稿に対して、光源及び光学系を移動させて画像読み取りを行う光学系移動読取機能との二つの機能からなる。なお、本発明においては、この二つの機能のうち、少なくとも一方を有していればよい。
【００２５】
画像処理部１３は、原稿読み取り部１２で得られたラインセンサからの画像アナログ信号を、Ａ／Ｄ変換してデジタル信号に変換し、ホワイトバランスの調整、γ補正等の画像処理を施した後、頁単位で圧縮して画像データとするものである。
【００２６】
一時記憶部１４は、ハードディスクドライブ等で構成され、画像処理部１３で生成された頁単位の画像データを一時的に記憶するメモリである。
【００２７】
操作部１５は、原稿の読み込みを開始させるスタート釦に加え、原稿を記憶させるときのファイル名、ファイル形式、解像度、倍率等の各種設定を入力するための、外部入力手段である。また、表示部１６は、ＬＣＤ等の表示装置で構成され、操作部１５で入力された内容や、原稿読み取り装置１０の動作状態を表示するものである。
【００２８】
なお、この原稿読み取り装置１０は、上記の構成に画像形成部を加え、プリンタ機能、ファクシミリ機能、複写機能等を有した、所謂複合機と呼ばれるものであってもよい。
【００２９】
記憶装置２０は、原稿読み取り装置１０で得られた画像データを蓄積して記憶する記憶装置であり、インタフェースを含み、装置内部の動作を制御する制御部２１と記憶部Ａ２２を有している。記憶部Ａ２２は、原稿読み取り装置１０内の一時記憶部１４に記憶した画像データをファイル形式で記憶するものである。
【００３０】
サーバ３０には、例えばＦＴＰ（Ｆｉｌｅ  Ｔｒａｎｓｆｅｒ  Ｐｒｏｔｏｃｏｌ）サーバが用いられ、記憶装置２０とネットワーク１の接続線に接続される。制御部３１は、インタフェースを含み、装置内部の動作の制御に加え、後述の、送信される画像ファイルよりクライアントＰＣ４０から指定された頁を選択しクライアントＰＣ４０へ送信する機能及び、クライアントＰＣ４０から送信を要請された画像データ、即ち頁数が複数のとき、この複数の画像データ、即ち頁を結合した後、送信する機能等を有するものである。記憶部Ｂ３２は、ハードディスクドライブ等で構成され、記憶装置２０より送信される画像ファイル及び制御部３１で選択した画像データを記憶するものである。
【００３１】
クライアントＰＣ４０は、一般のＰＣと同様のものであり、装置内部の動作制御及び各種演算処理を行う制御・演算部４１、キーボード、マウス等の入力部４３、ＣＲＴやＬＣＤ等の表示装置である出力表示部４４、ハードディスクドライブ等で構成された記憶部Ｃ４２を有している。
【００３２】
以上のように構成された、画像処理システムの一連の動作について説明する。
【００３３】
図３は、原稿読み取り装置１０での原稿の読み取りと、読み取った画像データを記憶装置２０の記憶部Ａ２２へ記憶させるまでの動作概略を示すフローチャートである。同フローは、上述の原稿移動読取機能を用いて複数枚の原稿の画像データを取得する場合を示している。以下、同フローに従い説明する。
【００３４】
まず、画像データとして記憶させる原稿を、原稿読み取り装置１０（以下、符号は図２参照のこと）の原稿台に載置する（ステップＳ１０１）。この後、原稿読み取り装置１０の操作部１５で記憶モードの各種設定（ステップＳ１０２）とスタート釦のＯＮの待機（ステップＳ１０３）でループ状態となる。この記憶モードの設定内容は、ファイル名、ファイル種類、解像度、倍率等であり、これら設定を行わない状態でスタート釦がＯＮされると（ステップＳ１０３；Ｙｅｓ）、デフォルトで設定されている内容で、原稿読み取りを行う（ステップＳ１０４）。デフォルトでは、例えばファイル名はアルファベットのＤを先頭にした通し番号、ファイル種類はマルチページＴＩＦＦ、解像度は６００ｄｐｉ（ｄｏｔ  ｐｅｒ  ｉｎｃｈ）、倍率は１に設定されるが、操作部１５で何らかの設定が行われれば、操作部１５での設定内容が優先されるということである。
【００３５】
原稿読み取りは、原稿１枚（１頁）ごとに行われ、読み取った画像データは上述の画像処理部１３で上述の画像処理が施された後、原稿読み取り装置１０内の一時記憶部１４へ格納される（ステップＳ１０５）。１枚の読み取り及び画像データの一時記憶部１４への格納が終了すると、原稿台上に原稿が残っているか判断し（ステップＳ１０６）、残っていれば（ステップＳ１０６；Ｙｅｓ）、ステップＳ１０４へ戻り、次頁の原稿を、同様に読み取り及び画像データの一時記憶部１４への格納を繰り返す。
【００３６】
ステップＳ１０６で原稿台上の原稿が残っていないと判断されると（ステップＳ１０６；Ｎｏ）、ステップＳ１０７へ移行し、原稿読み取り装置１０内の一時記憶部１４に格納した画像データをファイル形式にした後、記憶装置２０へ送信する（ステップＳ１０７）。記憶装置２０は、受信した画像ファイルを記憶装置２０内の記憶部Ａ２２に格納する（ステップＳ１０８）。
【００３７】
以上が、原稿読み取り装置１０での原稿の読み取りと、読み取った画像データを記憶装置２０内の記憶部Ａ２２へ記憶させるまでの動作の概略である。このようにして、記憶装置内の記憶部Ａに画像データは随時蓄積される。
【００３８】
図４は、記憶装置２０内の記憶部Ａ２２に蓄積された画像ファイルを模式的に示した図である。
【００３９】
同図に示すように、記憶部Ａ２２には、Ｄ１〜Ｄｎというファイル名の画像ファイルが記憶されており、例えば、ファイル名Ｄ１の画像ファイルには、４頁の画像データＤ１．１〜Ｄ１．４までの画像が結合して含まれ、ファイル名Ｄｎの画像ファイルには、ｍ頁の画像データＤｎ．１〜Ｄｎ．ｍまでの画像が結合して含まれている。
【００４０】
図５は、本発明の画像処理システムの、記憶装置２０に記憶された画像データを端末機器であるクライアントＰＣ４０に送信する場合の相互の動作概略を示すフローチャートである。同図は、左側に記憶装置２０の動作、中央にサーバ３０の動作、右側にクライアントＰＣ４０の動作を示している。以下、同図に従い説明する。
【００４１】
上述の動作（図３参照）の結果、記憶装置２０の記憶部Ａ２２に、画像ファイルが格納される（ステップＳ１０８）と、記憶装置２０の制御部２１は、画像ファイル名と、この画像ファイル内の各頁の画像に対応したサムネイル画像を作成し、サーバ３０へ送信する（ステップＳ２０１）。サーバ３０は、この画像ファイル名とサムネイル画像を記憶部Ｂ３２へ格納する（ステップＳ３０１）。これにより、サーバ３０の記憶部Ｂ３２は、記憶部Ａ２２内に格納された全ての画像ファイル名とこれに対応するサムネイル画像を蓄積することができる。更に、記憶部Ｂ３２へ格納した日時を付与して格納することが望ましい。
【００４２】
一方、クライアントＰＣ側にいる使用者が、記憶部Ａ２２に蓄積記憶した画像ファイルから、所望の画像データの送信を要請する場合、以下のように行われる。
【００４３】
クライアントＰＣ４０側より画像ファイル名の一覧の送信をサーバ３０に要請する（ステップＳ４０１）。サーバ３０はこれを受けて、記憶部Ｂ３２から画像ファイル名の一覧をクライアントＰＣ４０へ送信する（ステップＳ３０２）。クライアントＰＣ４０では、出力表示部４４に、取得した画像ファイル名一覧を表示する（ステップＳ４０２）。クライアントＰＣ４０の使用者は、表示された画像ファイル名一覧から、所望の画像が含まれているファイル名を選択して指定し、この指定した画像ファイルに含まれるサムネイル画像の送信をサーバ３０へ要請する（ステップＳ４０３）。
【００４４】
図６は、ステップＳ４０２で、クライアントＰＣ４０の出力表示部４４に、取得した画像ファイル名の一覧を表示した例を示す図である。
【００４５】
図６に示すように、画像ファイル名の一覧は、格納した日時順に、ファイル名、各ファイル内に含まれる画像データの頁数が表示されている。この一覧から、例えば、ファイル名Ｄ５を指定すると、図示のようにファイルＤ５の行が暗転する。この後、右上のＯＫ表示５１をクリックすることで、この画像ファイルに含まれるサムネイル画像の送信が要請される。
【００４６】
図５へ戻り、サーバ３０は、指定されたファイルのサムネイル画像をクライアントＰＣ４０へ送信する（ステップＳ３０３）。クライアントＰＣ４０では、出力表示部４４に、取得したサムネイル画像を表示する（ステップＳ４０４）。クライアントＰＣ４０の使用者は、表示されたサムネイル画像から、所望のサムネイル画像を選択して指定し、サーバ３０へこのサムネイル画像を作成した元の画像データの送信を要請する（ステップＳ４０５）。
【００４７】
図７は、ステップＳ４０４で、クライアントＰＣ４０の出力表示部４４に、取得したサムネイル画像を表示した例を示す図である。同図は、ステップＳ４０３で送信要請された８頁の画像データを含むファイル名Ｄ５のサムネイル画像を表示した場合の例を示している。
【００４８】
図７に示すように、ファイル名Ｄ５内の、各サムネイル画像６０（本例では８頁）が表示されている。これらのサムネイル画像の内から、例えば、第６頁のサムネイル画像をチェックすると、図示のように第６頁のサムネイル画像にチェックマーク５２が表示される。この後、下欄のＯＫ表示５３をクリックすることで、第６頁の画像データの送信が要請される。
【００４９】
また、送信を要請する画像が複数枚で、他のファイルからも画像データを必要とする場合は、下欄の、ファイル一覧へ戻る５４をクリックすることで、図６に示す画像ファイル名の一覧の表示に戻り、同様にファイル名を選択して指定し、表示されたサムネイル画像から、必要とする画像の送信を要請する。この操作を繰り返すことで、複数枚の所望の画像データの送信要請を行うことができる。
【００５０】
図５に戻り、図７に示す指定終了５５もしくはファイル一欄に戻る５４のいずれかがクリックされるのを待機する（ステップＳ４０６）。指定終了５５もしくはファイル一欄に戻る５４のいずれかがクリックされるとステップＳ４０７へ移行し、指定終了５５がクリックされたかどうか判断し、指定終了５５でなければ、ステップＳ４０２へ戻り、上述の所望の画像データの送信要請の動作を行う。指定終了５５がクリックされた場合には、上述の画像データの選択指定、送信要請の動作を終了する。
【００５１】
一方、サーバ３０は、クライアントＰＣ４０からのサムネイル画像の指定に基づき、サムネイル画像を作成した元の画像データを含む画像ファイルの送信を、記憶装置２０へ要求する（ステップＳ３０４）。記憶装置２０は、この要求に基づき、元の画像データを含む画像ファイルをサーバ３０へ送信する（ステップＳ２０２）。
【００５２】
サーバ３０では、受信した画像ファイル内から、クライアントＰＣ４０で指定されたサムネイル画像を生成した元の画像データの頁を選択し、記憶部Ｂ３２に格納する（ステップＳ３０５）。クライアントＰＣ４０での画像データの送信要請が複数された場合には、ステップＳ３０４〜ステップＳ３０５の動作が繰り返される。
【００５３】
クライアントＰＣ４０側のステップＳ４０７において、指定終了５５がクリックされた場合（ステップＳ４０７；Ｙｅｓ）には、指定が終了した旨、サーバ３０へ連絡する（ステップＳ４０８）。サーバ３０は、指定終了連絡を受けると、ステップＳ３０６へ移行し、指定された画像が複数かどうか判断し、複数の場合（ステップＳ３０６；Ｙｅｓ）は、指定された画像即ち、記憶部Ｂ３２に記憶しておいた画像データの頁を結合し（ステップＳ３０７）、一つの画像ファイルとしてクライアントＰＣ４０へ送信する（ステップＳ３０８）。
【００５４】
図８は、サーバ３０において、指定された画像データを結合し、一つの画像ファイルにした例を模式的に示した図である。同図は、ファイル名ＤＣ１の画像ファイルであり、クライアントＰＣ４０により指定された、ファイル名Ｄ５の第６頁と、ファイル名Ｄ２の第２頁と、ファイル名Ｄｎの第１２頁とがサーバ３０により結合され、一つの画像ファイルとなった状態を示している。
【００５５】
図５へ戻り、ステップＳ３０６において、指定された画像が１頁の場合（ステップＳ３０６；Ｎｏ）は、ステップＳ３０８へジャンプして、この頁を一つの画像ファイルとしてクライアントＰＣ４０へ送信する。
【００５６】
この後、サーバ３０は、記憶装置２０より取得した画像ファイルを削除して（ステップＳ３０９）終了し、クライアントＰＣ４０ではサーバ３０から送信された画像ファイルを記憶部Ｃ４２に格納し（ステップＳ４０９）、終了する。
【００５７】
なお、画像ファイル内からの特定の頁の選択や、複数頁の画像データを一つの画像ファイルへの結合については、特開２００３−１１４８１４号公報や、特開２００２−２７１８９号公報に記載の方法を用いることができる。
【００５８】
以上が、本発明の、記憶装置２０に記憶された画像データを端末機器であるクライアントＰＣ４０に送信する場合の動作概略である。
【００５９】
以上説明したように、端末機器であるクライアントＰＣから送信を要請された画像が、複数頁の画像データを含む画像ファイルのうちの一部の頁であっても、サーバが複数頁の画像データを含む画像ファイルより、要請された頁の画像データを選択し送信することで、クライアントＰＣで所望の画像データのみが取得できるようになる。
【００６０】
更に、送信を要請された画像が複数のときは、サーバは複数の画像データを結合し一つの画像ファイルとした後、送信することで、クライアントＰＣ側で画像ファイルを再構成する作業の必要が無く、作業効率の向上が可能となる。
【００６１】
即ち、使用者は、クライアントＰＣ側に居ながらにして入力操作を行うだけで、必要な画像のみをファイル化された画像データを、短時間で容易に入手できることとなり、作業効率を大幅に向上させることができるようになる。更に、ネットワーク内では必要最小限のデータの送受信が行われることとなり、ネットワーク容量負荷の軽減も可能となる。
【００６２】
また、記憶装置とサーバ間ではＴＷＡＩＮを使用し、サーバとクライアントＰＣ間ではｆｔｐ（ｆｉｌｅ  ｔｒａｎｓｆｅｒ  ｐｒｏｔｏｃｏｌ）、或いはｈｔｔｐ（ｈｙｐｅｒ  ｔｅｘｔ  ｔｒａｎｓｆｅｒ  ｐｒｏｔｏｃｏｌ）等の汎用性のあるプロトコルに対応した画像ファイルとして送受信することが望ましく、これにより、クライアントＰＣに特別なソフトウェアを用意する必要が無くなるという効果も奏することができる。
【００６３】
なお、上記で説明した実施の形態の具体的構成は、一例であり、これに限定するものでなく、本発明の要旨を逸脱しない範囲における変更、追加等があっても本発明に含まれるのは言うまでもない。
【００６４】
例えば、原稿読み取り装置と記憶装置を別体のものとして説明したが、一体的に構成されたものであってもよい。また、記憶装置側でサムネイル画像を生成しサーバに送信して、サーバ内に記憶するよう構成したが、クライアントＰＣから特定の画像ファイルのサムネイル画像の送信要請があった後、サムネイル画像を生成して送信するようにしてもよいのは勿論である。
【００６５】
このほか、サムネイル画像を参照しながら、クライアントＰＣ側で必要とする画像データを選択するように構成したが、クライアントＰＣ側で必要とする画像データを一括してテーブル化し、サーバへ送信要請するように構成してもよい。
【図面の簡単な説明】
【００６６】
【図１】本発明の画像処理システムの概略構成例を示す図である。
【図２】図１に示した原稿読み取り装置、記憶装置、サーバ、クライアントＰＣそれぞれの機能を示すブロック図である。
【図３】原稿読み取り装置での原稿の読み取りと、読み取った画像データを記憶装置の記憶部Ａへ記憶させるまでの動作概略を示すフローチャートである。
【図４】記憶装置内の記憶部Ａに蓄積された画像ファイルを模式的に示した図である。
【図５】本発明の画像処理システムの、記憶装置に記憶された画像データを端末機器であるクライアントＰＣに送信する場合の相互の動作概略を示すフローチャートである。
【図６】クライアントＰＣの出力表示部に、取得した画像ファイル名の一覧を表示した例を示す図である。
【図７】クライアントＰＣの出力表示部に、取得したサムネイル画像を表示した例を示す図である。
【図８】サーバにおいて、指定された画像データを結合し、一つの画像ファイルにした例を模式的に示した図である。
【符号の説明】
【００６７】
１  ネットワーク
１０  原稿読み取り装置
１１  制御部（原稿読み取り装置）
１２  原稿読み取り部
１３  画像処理部
１４  一時記憶部
１５  操作部
１６  表示部
２０  記憶装置
２１  制御部（記憶装置）
２２  記憶部Ａ
３０  サーバ
３１  制御部（サーバ）
４０  クライアントＰＣ（端末機器）
４１  制御・演算部
４２  記憶部Ｃ
４３  入力部
４４  出力表示部
【図１】
2005223391.tif 000003
【図２】
2005223391.tif 000004
【図３】
2005223391.tif 000005
【図４】
2005223391.tif 000006
【図５】
2005223391.tif 000007
【図６】
2005223391.tif 000008
【図７】
2005223391.tif 000009
【図８】
2005223391.tif 000010